(57)【要約】【課題】  浴室側から脱衣室側へ流れる水を確実に遮断して止水することのできる浴室の開き扉構造を提供する。【解決手段】  浴室の出入口を形成するドア枠に開閉自在に取り付けられる開き扉において、開き扉の下框３ａ内部に、少なくとも両端に設けられた軸７を介し上下回動可能に下框３ａ全幅に亘って止水材１０，１１を配設するとともに、下框の止水材の位置には、外方へ貫通する開口１４を設けて構成し、一方のドア枠には、開き扉の閉扉時に開口１４内に挿入されて止水材１０，１１を押し下げ、止水材１１をドア枠の下枠２ａに当接させることのできる突起１７を設けて構成する。【選択図】        図２
2005083097.tif 000002
【特許請求の範囲】
【請求項１】
浴室の出入口を形成するドア枠に、開閉自在に取り付けられる開き扉において、前記開き扉の下框内部に、少なくとも両端に設けた軸を介し上下回動可能に下框全幅に亘って止水材を配設するとともに、下框の前記止水材の位置には外側へ貫通する開口を設けて構成し、一方のドア枠には、前記開き扉の閉扉時に、前記開口内に挿入されて前記止水材を押し下げ該止水材をドア枠の下枠に当接させることのできる突起が設けられていることを特徴とする浴室の開き扉構造。
【請求項２】
前記止水材は、前記ドア枠の下枠に当接された状態で、前記開き扉の下框内の当接部にも当接するように構成されていることを特徴とする請求項１に記載の浴室の開き扉構造。
【発明の詳細な説明】
【技術分野】
【０００１】
この発明は、浴室に設けられる開き扉の構造に関するものである。
【背景技術】
【０００２】
従来、浴室に設けられる開き扉において、浴室内からの水が脱衣室側へ漏れるのを防ぐために、例えば参考文献１に開示されているように、開き扉の下部に、閉じた状態で下方へ押圧されてドア枠の下枠に当接する止水材を設けた構造が存在する。
【０００３】
また、参考文献２に開示されているように、開き扉の下端にレバーを突出させておき、このレバーを介し、開き扉が閉じられた時に止水部材がドア枠の下枠に当接するように構成したものも存在する。
【特許文献１】実開平６−５６４７０号公報
【特許文献２】特開平１０−１０２９３７号公報
【発明の開示】
【発明が解決しようとする課題】
【０００４】
しかし、参考文献１に開示されているような構造では、扉を閉じた時に、止水材が、両端２か所で同時に真っ直ぐ下方へ押圧されないと、止水材が傾いてしまう虞れがあり、確実な止水性が確保されなくなるという問題点があった。
また、参考文献２に開示されているような構成では、開き扉の下端にレバーが突出しているため、開き扉を開閉させる際に、この下端から下方へ突出されたレバーが引きずられてしまうという問題点があった。
【課題を解決するための手段】
【０００５】
本発明は上記従来の問題点に鑑み案出したものであって、閉じた時に止水材が傾くこともなく、また突出するものもなく、良好に開閉できて、しかも閉じた時には確実な止水性が確保される浴室の開き扉構造を提供するものであり、請求項１は、浴室の出入口を形成するドア枠に、開閉自在に取り付けられる開き扉において、前記開き扉の下框内部に、少なくとも両端に設けた軸を介し上下回動可能に下框全幅に亘って止水材を配設するとともに、下框の前記止水材の位置には外側へ貫通する開口を設けて構成し、一方のドア枠には、前記開き扉の閉扉時に、前記開口内に挿入されて前記止水材を押し下げ該止水材をドア枠の下枠に当接させることのできる突起が設けられていることである。
また、請求項２は、前記止水材は、前記ドア枠の下枠に当接された状態で、前記開き扉の下框内の当接部にも当接するように構成されていることである。
【発明の効果】
【０００６】
本発明は、浴室の出入口を形成するドア枠に、開閉自在に取り付けられる開き扉において、開き扉の下框内部に、少なくとも両端に設けた軸を介し上下回動可能に下框全幅に亘って止水材を配設するとともに、下框の止水材の位置には外側へ貫通する開口を設けて構成し、一方のドア枠には、開き扉の閉扉時に、開口内に挿入されて止水材を押し下げ止水材をドア枠の下枠に当接させることのできる突起が設けられていることにより、ドア枠に対し開き扉を閉じた時には、突起により、止水材が軸を介して下方へ回動され、ドア枠の下枠に当接するために、浴室側から脱衣室側へ流れ込もうとする水を完全に遮断して、脱衣室側への漏水を確実に防ぐことができるものとなる。
また、軸を介して止水材が回動されるため、ドア枠の幅方向一端側の１か所に設けた突起により、止水材を下方へ回動させるようにしても、止水材が傾いてしまう虞れはなく、止水材がドア枠の下枠に幅方向全域に亘り当接して、確実な止水性が確保されるものとなる。また、開き扉の下端に突出するものはなく、開き扉の開閉時に引きずることもなく、良好に開閉できるものとなる。
【０００７】
また、止水材は、ドア枠の下枠に当接された状態で、開き扉の下框内の当接部にも当接するように構成されていることにより、洗い場側から大量の水が脱衣室側へ流れ込むような場合にも、止水材は開き扉の下框内に設けられた当接部にも当接して水を遮断できるため、大量の水に対しても脱衣室側への漏水を確実に防ぐことができ、止水性能が向上したものとなる。
【実施例１】
【０００８】
以下、本発明の実施例を図面に基づいて説明する。
図１は、浴室内から見た開き扉の斜視構成図である。
浴室１内への出入口を形成するドア枠２には、ヒンジ５，５を介して開閉自在に開き扉３が取り付けられ、開き扉３は、浴室内の洗い場４側へ開閉できるように構成されており、この開き扉３の下端側の下框３ａ内には、図４に縦断面図で示すように、止水材フレーム９が上下方向に回動可能に設けられている。
なお、図２は、開き扉３を閉じた状態におけるドア枠２の下枠２ａとの関係を示す縦断面構成図である。また図３は、開き扉３の下框３ａを横方向に切断した平面拡大構成図である。
【０００９】
先ず、図４において、開き扉３の下框３ａの内部構造を説明する。
開き扉３の下框３ａを構成する浴室１側の内側パネル３ｂと、脱衣室６側の外側パネル３ｃ間には、軸７を介し上下方向に回動可能に止水材フレーム９が下框３ａの幅方向全域に亘って横設されている。
【００１０】
軸７は図３に示すように、下框３ａの側端パネル３ｄ，３ｄ間に亘り幅方向全域に横方向に延びて設けられており、この軸７にはバネ８が巻回状に取り付けられている。この軸７に設けられた止水材フレーム９は、バネ８を介して常には上方側へ付勢されており、開き扉３が開かれている状態では、図４に示すように、略水平状に保持されるように構成されている。
即ち、外側パネル３ｃの下端に、内側へ突出状に設けられた当接部１２ｂに当接して、止水材フレーム９が略水平に保持されるものである。
【００１１】
止水材フレーム９の内側パネル３ｂ側には、上部に上止水材１０が水平方向に突出状に固定されており、また、止水材フレーム９の内側パネル３ｂ側の下部には、下方へ向いて垂下状に下止水材１１が固設されている。
また、内側パネル３ｂの下端にも、外側パネル３ｃ側へ突出して当接部１２ａが形成されており、この当接部１２ａには、浴室側パッキン１３ａが下方へ向けて取り付けられており、また、前記外側パネル３ｃの当接部１２ｂにも、下方向に向けて脱衣室側パッキン１３ｂが設けられている。このパッキン１３ａ，１３ｂは、開き扉３の外周に亘り設けられたものである。
【００１２】
前記止水材フレーム９の外側パネル３ｃ側には、垂直な押圧部９ａが設けられており、この押圧部９ａと整合する外側パネル３ｃの位置には、開口１４が形成され、開口１４は脱衣室６側へ貫通形成されたものとなっている。
この開口１４は、図３に示すように、開き扉３の下框３ａの左右の側端パネル３ｄ側にそれぞれ開口されたものである。
このように、開き扉３の下框３ａ内には、軸７を介して上下方向に回動可能に、下框３ａの全幅に亘って止水材フレーム９が水平方向に延びて配設されており、この止水材フレーム９には、上止水材１０と下止水材１１が取り付けられている。
【００１３】
また、図２及び図３に示すように、洗い場４を形成する防水パン４ａの端部上に連結されて設置されるドア枠２の下枠２ａは、洗い場４との段差ａが３mm程度に設定されており、この下枠２ａには、エラストマー製のドア枠パッキン１５ｂが上方へ向かって立ち上げられており、このドア枠パッキン１５ｂは、図３に示すように、ドア枠２の縦枠２ｂの内側にも縦方向に設けられたものであり、このドア枠パッキン１５ｂに対して、浴室１側にもドア枠パッキン１５ａが設けられている。
【００１４】
ドア枠２に対し開き扉３を閉じた状態では、脱衣室６側のドア枠パッキン１５ｂに対し、開き扉３に設けられた脱衣室側パッキン１３ｂが当接し、また、浴室１側のドア枠パッキン１５ａに対しては、開き扉３の浴室側パッキン１３ａが当接されて良好にシールされるものである。
また、ドア枠の縦枠２ｂの下端には、幅方向に向かって突起フレーム１６が突出形成されており、この突起フレーム１６の先端には、開き扉の下框３ａに向かって突出する突起１７が設けられている。この突起１７は、ドア枠の下枠２ａの幅方向両端側にそれぞれ設けられており、前記開き扉の下框３ａの外側パネル３ｃに形成された開口１４に整合する位置に設けられている。
【００１５】
ドア枠２に対し開き扉３を閉じた状態では、図２及び図３に示すように、この突起１７が開口１４内に挿入され、突起１７が止水材フレーム９の押圧部９ａに当接して、押圧部９ａを内側パネル３ｂ側へ押圧することとなり、この状態で、止水材フレーム９の内側パネル３ｂ側が軸７を中心として下方へ回動することとなり、この回動状態で、上止水材１０が内側パネル３ｂの当接部１２ａに当接し、また、下止水材１１がドア枠の下枠２ａの上面に当接状態となる。
【００１６】
上止水材１０及び下止水材１１は、開き扉の下框３ａの幅方向全域に亘り水平方向に設けられているため、上止水材１０が当接部１２ａに幅方向全域に亘り当接して止水し、また、下止水材１１がドア枠の下枠２ａに幅方向全域に亘り当接して止水することとなる。
従って、この状態では、洗い場４側から溢れた水が脱衣室６側へ流れようとしても、止水材１１が下枠２ａに幅方向全域に亘り当接しているため、ここで脱衣室６側への流れが止められることとなる。
さらに大量の水が洗い場４側から溢れた場合でも、上止水材１０が当接部１２ａに幅方向全域に亘り当接しているため、脱衣室６側へ水が流れることが確実に防がれるものとなる。
【００１７】
しかも、本例の止水材フレーム９は上下方向に回動するものであるため、突起１７が押圧部９ａを押圧することで、上止水材１０及び下止水材１１が良好に下動して止水することができ、軸７を中心とする上下方向の回動であるため、軽い押圧力で良好に止水材１０，１１を止水状態にすることができる。
また、従来のスライドするタイプでは、扉を閉じた時に、止水材の両端２か所が同時に真っ直ぐ下方へ押圧されないと、止水材が傾いてしまう虞れがあったが、本例では、ドア枠の下枠２ａの幅方向一端側の１か所に設けた突起１７で押圧部９ａを押圧させるようにしても、上止水材１０及び下止水材１１が傾いてしまう虞れはなく、確実な止水性が確保されるものとなる。
【００１８】
また、開き扉３を開いた状態では、図４のように、バネ８の付勢力により、止水材フレーム９は上方へ移動して水平状態に維持されるため、従来のように開き扉３の下端から下方へ突出する構造物は無いため、洗い場４と開き扉３の下端間には十分なクリアランスが確保され、従来のように開閉時に開き扉３が引きずることもない。
【実施例２】
【００１９】
次に、図５，図６，図７は第２実施例を示すものであり、図５は、開き扉３を閉じた状態の下框の部分の内部構造を示す縦断面拡大図であり、また図６は、閉じた状態の下框の部分の平面断面拡大構成図である。また図７は、開いた状態の開き扉の下框の内部構造を示す縦断面拡大構成図である。
なお、前記図２，図３，図４で示す第１実施例と同一部材については、同一符号を付してその説明を省略する。
【００２０】
本例では、止水材フレーム９の形状が第１実施例のものとは異なっており、軸７は、下框３ａの内側パネル３ｂ側に横方向に設けられたものとなっている。この軸７は、図６に示すように、内側パネル３ｂ側で、その両端側を下框の左右の側端パネル３ｄ，３ｄに支持されており、下框３ａの幅方向全域に亘り水平方向に設けられたものであり、この軸７から、外側パネル３ｃ側に向かって水平片９ｂが延びており、この水平片９ｂの外側パネル３ｃ側端部は、下方側へ湾曲した押圧部９ａとなっており、この押圧部９ａに対し、ドア枠に設けられた突起１７が閉じた状態で係合されるように構成されている。
また、水平片９ｂから垂下状に垂下片９ｃが一体形成されており、この垂下片９ｃに、下方側へ向けて下止水材１１が固設されている。
【００２１】
また、軸７に設けられたバネ８の付勢力により、開いた状態では図７に示すように、水平片９ｂは上方側へ回動し、外側パネル３ｃにＬ字状に形成された係止鉤片１９の下端に当接して、水平片９ｂは傾斜状に保持されるように構成されている。
また、下框３ａの内側パネル３ｂ側の当接部１２ａから、外側パネル３ｃに向かって水平状に水平当接片１８が延出されており、この水平当接片１８は、下框３ａの幅方向全域に亘り水平状に形成されたものであり、この水平当接片１８の外側パネル３ｃ側先端に、前記下止水材１１が当接されるように構成されている。
【００２２】
図５に示すように、ドア枠２に対し開き扉３が閉じられた状態では、突起１７が開口１４内に挿入されて、止水材フレーム９の押圧部９ａを下方側へ向けて押圧し、止水材フレーム９は軸７を中心として下方側へ回動して、下止水材１１が水平当接片１８の端面に当接するとともに、下止水材１１の下端がドア枠の下枠２ａの上面に当接されるものである。
【００２３】
この状態では、洗い場４から脱衣室６側へ向けて流れ出る水は、下止水材１１の下端がドア枠の下枠２ａに当接されているため遮断されるとともに、さらに大量の溢水が存在する場合にも、水平当接片１８に下止水材１１が当接しているため、溢水が脱衣室６側へ流れ出ることはなく、確実に止水することができるものである。
しかも、軸７を介してスムーズに止水材フレーム９は回動できる構造であり、ドア枠の下枠２ａの幅方向一端側の１か所に設けた突起１７で押圧部９ａを押圧させるようにしても、下止水材１１が傾いてしまう虞れはなく、下止水材１１が下枠２ａに幅方向全域に亘り当接して、確実な止水性が確保されるものとなる。
【００２４】
また、開き扉３を開いた状態では、図７のように、止水材フレーム９は上方へ回動して保持されるため、開き扉３の下端から突出するものはなく、開き扉３が洗い場４などに引きずることもなく良好に開閉することができるものとなる。
【図面の簡単な説明】
【００２５】
【図１】開き扉を浴室内側から見た斜視構成図である。
【図２】第１実施例の開き扉を閉じた状態の下框の内部構造を示す縦断面拡大構成図である。
【図３】開き扉を閉じた状態の平面要部拡大構成図である。
【図４】開き扉を開いた状態の下框の内部構造を示す縦断面構成図である。
【図５】第２実施例の開き扉を閉じた状態の縦断面拡大構成図である。
【図６】開き扉を閉じた状態の平面要部拡大構成図である。
【図７】開き扉を開いた状態の下框の内部構造を示す縦断面拡大構成図である。
【符号の説明】
【００２６】
１  浴室
２  ドア枠
２ａ  下枠
２ｂ  縦枠
３  開き扉
３ａ  下框
３ｂ  内側パネル
３ｃ  外側パネル
３ｄ  側端パネル
４  洗い場
４ａ  防水パン
５  ヒンジ
６  脱衣室
７  軸
８  バネ
９  止水材フレーム
９ａ  押圧部
９ｂ  水平片
９ｃ  垂下片
１０  上止水材
１１  下止水材
１２ａ，１２ｂ  当接部
１３ａ，１３ｂ  パッキン
１４  開口
１５ａ，１５ｂ  ドア枠パッキン
１６  突起フレーム
１７  突起
１８  水平当接片
１９  係止鉤片
【図１】
2005083097.tif 000003
【図２】
2005083097.tif 000004
【図３】
2005083097.tif 000005
【図４】
2005083097.tif 000006
【図５】
2005083097.tif 000007
【図６】
2005083097.tif 000008
【図７】
2005083097.tif 000009